(57)【特許請求の範囲】
【請求項１】
雨水を流下させる筒状体と、該筒状体の外周面から外側に突出するとともに該筒状体の軸線方向へ延在する取付リブとを備えた竪樋を、建物の外壁に支持固定する竪樋支持具であって、
前記外壁への当接面を一端側に有し、他端側の壁部に第１の嵌着溝部が形成され、該第１の嵌着溝部から前記当接面に向けてビスを挿通させる貫通孔が設けられた固定部材と、
該固定部材に連結可能な嵌着突部を一端側に有するとともに、他端側の壁部に第２の嵌着溝部が形成されたスペーサとを備え、
前記第１の嵌着溝部は、前記取付リブおよび前記スペーサの嵌着突部のどちらとも嵌着自在であり、
前記第２の嵌着溝部は、前記取付リブおよび前記スペーサの嵌着突部のどちらとも嵌着自在であることを特徴とする竪樋支持具。
【請求項２】
請求項１に記載の竪樋支持具であって、
前記第１又は第２の嵌着溝部を形成する壁部は、前記取付リブ又は前記嵌着突部を両側方から挟持する一対の挟持壁部と、
これら挟持壁部の先端側に形成され、前記取付リブ又は前記嵌着突部が嵌着した状態において該取付リブ又は嵌着突部を建物の外壁側に押圧する一対の爪部と、
前記取付リブ又は前記嵌着突部が嵌着した状態において該取付リブ又は嵌着突部を前記一対の爪部間にて前記竪樋側に押圧する突出壁部とを備えていることを特徴とする竪樋支持具。
【請求項３】
請求項１又は２に記載の竪樋支持具において、
前記固定部材と前記スペーサとの間に亘って装着され、これら固定部材及びスペーサをこれら固定部材及びスペーサの左右両側面及び上下面のいずれか一方又は双方から覆うカバー部材を備えていることを特徴とする竪樋支持具。
【発明の詳細な説明】
【技術分野】
【０００１】
本発明は、住宅などの外壁に取り付けられて、竪樋を支持する竪樋支持具に関する。
【背景技術】
【０００２】
従来より、竪樋を建物等の外壁に支持固定する竪樋支持具としては、竪樋の外周に配して該竪樋を把持する環状のバンド部と、このバンド部を外壁に固定する固定部とを備えたものが広く使用されている。この種の竪樋支持具は、バンド部によって竪樋の外周面に凹凸が形成されるため、この凹凸部分に塵埃類が溜まりやすく、またこの凹凸部分によって外観を損なう場合があるという問題があった。そこで、近年ではバンド部を用いない、例えば下記特許文献１に示すような竪樋支持具が提案されている。
【０００３】
特許文献１に開示された特許文献１に開示された竪樋の取付構造では、竪樋は、外周面から外側に突出し先端に膨出状の係止部を備えるとともに竪樋の軸方向へ延在する取付リブが形成されている。一方、竪樋支持具は、この取付リブが嵌入される嵌入溝を有しており、該嵌入溝を竪樋の取付リブに嵌入させて竪樋を支持するとともに、住宅などの外壁に取り付けられている。
【０００４】
この竪樋支持具は、嵌入溝に取付リブが嵌入されることで竪樋を支持しているため、従来の竪樋支持具に設けられているバンド部が不要となり、竪樋を支持している状態において竪樋の背面側に隠れてしまうため、竪樋支持具が露出して外観を損なうことがない。
また、竪樋を住宅などの外壁に取り付けるときには、従来のようにバンド部を竪樋の外周面上に環状に配して固定する代わりに、取付リブを嵌入溝に嵌入させる作業を行えばよいため、作業性がよく、効率よく竪樋を取り付けることができる。
【先行技術文献】
【特許文献】
【０００５】
【特許文献１】特開２０００−３４８１１号公報
【発明の概要】
【発明が解決しようとする課題】
【０００６】
ところで、竪樋の建物の外壁からの出寸法、すなわち離間寸法は、軒樋の配置位置等、建物の設計によって様々であるため、該出寸法に応じて支持具と外壁との間にスペーサを配置し、これら支持具及びスペーサを貫通するビスを使用することとなるが、従来の竪樋支持具によれば、竪樋の外壁からの出寸法に応じて異なる長さ寸法のビスを個別に選択しなければならないため、かかる作業を省いて固定作業を簡略化したいという要請があった。
【０００７】
また、竪樋の外壁からの出寸法が大きい場合には、支持具と外壁との間にスペーサを配置するとともに、該支持具及びスペーサを貫通する胴部の長いビスを建物の外壁に螺入しなければらならず、固定作業が行い難いという課題があった。
【０００８】
また、スペーサを用いた場合、ビスが螺入された外壁の位置、すなわち支点から、ビスの頭部が位置する支持具、すなわち作用点との間が大きく離間し得るため、竪樋が風等の外力で揺動した際に該竪樋を支持する支持具及びこれに貫通しているビスが大きく揺さぶられ、該ビスの螺入が緩みやすくなるという課題があった。
【課題を解決するための手段】
【０００９】
上記課題を解決するために、本発明は以下の手段を提供している。
本発明は、上記課題に鑑みて、以下の解決手段を提供している。
本発明は、雨水を流下させる筒状体と、該筒状体の外周面から外側に突出するとともに該筒状体の軸線方向へ延在する取付リブとを備えた竪樋を、建物の外壁に支持固定する竪樋支持具であって、前記外壁への当接面を一端側に有し、他端側の壁部に第１の嵌着溝部が形成され、該第１の嵌着溝部から前記当接面に向けてビスを挿通させる貫通孔が設けられた固定部材と、該固定部材に連結可能な嵌着突部を一端側に有するとともに、他端側の壁部に第２の嵌着溝部が形成されたスペーサとを備え、前記第１の嵌着溝部は、前記取付リブおよび前記スペーサの嵌着突部のどちらとも嵌着自在であり、前記第２の嵌着溝部は、前記取付リブおよび前記スペーサの嵌着突部のどちらとも嵌着自在であることを特徴とする。
【００１０】
本発明においては、固定部材の第１の嵌着溝部に取付リブおよびスペーサの嵌着突部を嵌着でき、スペーサの第２の嵌着溝部にも、取付リブおよび他のスペーサの嵌着突部を嵌着できる構成となっているため、固定部材とスペーサとの連結は、ビスを用いることなく、固定部材の第１の嵌着溝部とスペーサの嵌着突部との嵌着によりなされる。また、スペーサ同士の連結も、一方のスペーサの第２の嵌着溝部と他方のスペーサの嵌着突部とを嵌着させることによりなされる。そして、固定部材は、ビスによって外壁に固定される。
【００１１】
また、本発明においては、前記第１又は第２の嵌着溝部を形成する壁部は、前記取付リブ又は前記嵌着突部を両側方から挟持する一対の挟持壁部と、これら挟持壁部の先端側に形成され、前記取付リブ又は前記嵌着突部が嵌着した状態において該取付リブ又は嵌着突部を建物の外壁側に押圧する一対の爪部と、前記取付リブ又は前記嵌着突部が嵌着した状態において該取付リブ又は嵌着突部を前記一対の爪部間にて前記竪樋側に押圧する突出壁部とを備えていることが望ましい。
【００１２】
本発明においては、第１又は第２の嵌着溝部に嵌着される取付リブ又は嵌着突部がその両側方から挟持されるとともに、爪部が取付リブ又は嵌着突部に食いつく状態で係合し、また突出壁部が取付リブ又は嵌着突部を押圧した状態で竪樋とスペーサ又は固定部材との連結がなされる。
【００１３】
また、本発明においては、前記固定部材と前記スペーサとの間に亘って装着され、これら固定部材及びスペーサをこれら固定部材及びスペーサの左右両側面及び上下面のいずれか一方又は双方から覆うカバー部材を備えていることが望ましい。
【００１４】
本発明においては、竪樋支持具に支持された竪樋が風等の外力により揺動して固定部材とスペーサとの間、及びスペーサ同士間の嵌着にずれを生じようとした場合に、カバー部材がこれら固定部材及びスペーサを竪樋の上下及び水平方向に支持する。
【発明の効果】
【００１５】
本発明の竪樋支持具は、竪樋を設置する際に、竪樋の外壁からの出寸法をスペーサの数を変更することにより調整することができ、竪樋支持具の固定に際して、固定部材のみを一定の長さのビスで建物の外壁に固定すればよいので、長さの異なるビスを選択する作業を省くことができ、固定作業の簡素化が図れ、固定作業を容易に行うことができるという効果を奏する。
【００１６】
また、固定部材のみをビスで固定すればよいので、短尺のビスでの簡単な固定が可能となり、竪樋の揺動等によってもビスが緩み難く固定状態が堅固であるという効果を奏する。
【００１７】
また、本発明においては、竪樋を固定した状態において、爪部が取付リブ又は嵌着突部に係合し、また突出壁部が取付リブ又は嵌着突部を押圧した状態で竪樋とスペーサ又は固定部材との連結がなされるので、堅固な固定が実現できるという効果が得られる。
【００１８】
また、スペーサは、固定部材の第１の嵌着溝部に嵌着突部を嵌着させることにより固定部材に連結させることができ、また、スペーサ同士も、一方のスペーサの第２の嵌着溝部に嵌着突部を嵌着することにより連結することができるため、スペーサの連結も簡便であるという効果を奏する。
【図面の簡単な説明】
【００１９】
【図１】は、本発明の一実施形態による竪樋支持具と竪樋との連結状態を示す説明図である。
【図２】は、竪樋の取付リブを示した平面図である。
【図３】は、本発明の一実施形態による竪樋支持具の固定部材を示す斜視図である。
【図４】は、本発明の一実施形態による竪樋支持具のスペーサを示す斜視図である。
【図５】は、本発明の一実施形態による竪樋支持具の連結状態の要部を示す平面図である。
【図６】は、本発明の一実施形態による竪樋支持具の連結状態を示す上面図である。
【図７】は、本発明の変形例を示す斜視図である。
【発明を実施するための形態】
【００２０】
以下、本発明の一実施形態による竪樋支持具について、図１乃至図５に基づいて説明する。
図１に示すように、竪樋支持具１は、建物の外壁Ｔの壁面Ｔ１に互いに所定の間隔をおいて取り付けられて、壁面Ｔ１に沿って鉛直方向に配置される竪樋２を支持するものである。
【００２１】
竪樋２は、雨水を流下させる筒状体３と、該筒状体３の外周面３ａから筒状体３の径方向外側に突出するとともに筒状体３の軸線Ｌ方向に延在する中空の取付リブ４とを備えている。
【００２２】
図２に示すように、取付リブ４は、図１に示す軸線Ｌ方向に直交する断面で視て略Ｔ字状に形成されており、図１に示す筒状体３の外周面３ａから径方向外側に突出する軸部５と、該軸部５の先端から該軸部５の突出方向に直交する両方向へそれぞれ膨出した係止部６とを備えている。
【００２３】
この係止部６は、軸部５の側壁面５ａ，５ａから湾曲しつつ略直角に折曲して形成された係止部基端面６ａと、係止部基端面６ａから略直角に折曲して軸部５の突出方向に沿って延在する係止部側壁面６ｂ，６ｂと、係止部側壁面６ｂ，６ｂから略直角に折曲し、これら係止部側壁面６ｂ，６ｂ間に亘って形成された係止部先端面６ｃとに囲まれて形成されている。
係止部側壁面６ｂと係止部先端面６ｃとにより形成された角部６ｋは、滑らかな湾曲面とされている。
【００２４】
図１に示すように、竪樋支持具１は、ビス７により外壁Ｔに固定される固定部材８と、該固定部材８に連結されて竪樋２の出寸法を調整する２つのスペーサ９，９とを備えている。
【００２５】
図３に示すように、固定部材８は、略直方体状に形成された部材であって、一端側の面に形成された壁面Ｔ１への当接面８ａと、他端側の壁部８ｂに形成された第１の嵌合溝部１０とを備えており、該第１の嵌合溝部１０から当接面８ａに向かって貫通孔Ｐが形成されている。
【００２６】
一方、スペーサ９は、図４に示すように、直方体形状に形成された部材であって、一端側の面９ａに取付リブ４と外形が同形状で中実に形成された嵌着突部１５と、他端側の壁部９ｂに第１の嵌着溝部１０と同形状に形成された第２の嵌合溝部２０とを有している。
スペーサ９の嵌着突部１５は、図５に示すように、取付リブ４と同じ構成を有する軸部５、及び図２に示す取付リブ４の係止部６と同様に係止部基端面６ａ、係止部側壁面６ｂ，６ｂ、係止部先端面６ｃを有する係止部６を備えている。
【００２７】
図５に示すように、固定部材８の第１の嵌着溝部１０は、スペーサ９の嵌着突部１５をその内部に嵌着させて固定部材８とスペーサ９とを連結させる部分であり、壁部８ｂにおいて当接面８ａ側に窪むとともに鉛直方向に延在するように形成されている。
この第１の嵌着溝部１０は、図２に示す竪樋２の取付リブ４を嵌着させて固定部材８を直接竪樋２に取り付けることも可能であるが、以下では、第１の嵌着溝部１０の構成について、スペーサ９の嵌着突部１５を連結させる場合を例として示しつつ説明する。
【００２８】
図３に示すように、この第１の嵌着溝部１０を形成している壁部８ｂは、固定部材８の側壁面８ｃ，８ｃに沿って直線状に延び該第１の嵌着溝部１０を両側から挟みこむ一対の挟持壁部１１，１１と、該狭持壁部１１，１１の先端から互いに近接する方向に折り返されて形成された爪部１２，１２と、狭持壁部１１，１１の基端部間の内壁面中央から膨出するとともに鉛直方向に延在する突出壁部１４とを備えている。
【００２９】
図５に示すように、一対の挟持壁部１１，１１は、その基端部が先端に向かって漸次幅狭となるように内壁面が湾曲に形成された後、先端に向かって一定の幅寸法に形成され、弾性変形可能とされている。
挟持壁部１１，１１の一定の幅に形成された内面間の寸法Ｍ１は、嵌着突部１５の係止部６よりも極僅かに小寸法に形成されている。
この構成の下に、狭持壁部１１，１１は、嵌着突部１５を第１の嵌着溝部１０内に嵌入させ、嵌着突部１５の側壁面から堅固に狭持している。
【００３０】
爪部１２，１２は、狭持壁部１１，１１の先端から互いに接近する側に折曲し、更に固定部材８の当接面８ａ側に突出して形成された壁部であり、その突出端１２ａが尖鋭に形成されている。
この爪部１２の突出端１２ａは、嵌着突部１５が第１の嵌着溝部１０に嵌着した際に、外壁Ｔ側、すなわち、嵌着突部１５の係止部基端面６ａに食い込むように係合している。
【００３１】
また、爪部１２，１２の内面側に形成された角部１２ｋ，１２ｋはそれぞれ滑らか湾曲面とされており、嵌着突部１５を第１の嵌着溝部１０内にガイドし、狭持壁部１１，１１を拡開させやすくしている。
図３に示すように、爪部１２，１２の互いに対向する側の壁部には、それぞれ凹部１６，１６が形成されており、ビス７の頭部７ａを通過させるようになっている。
【００３２】
突出壁部１４は、狭持壁部１１，１１の基端部間の壁部が第１の嵌着溝部１０内に突出して鉛直方向に延在したものであり、図５に示すように、嵌着突部１５が第１の嵌着溝部１０に嵌着した際に、突出頂面１４ａが係止部６の係止部先端面６ｃをスペーサ９側、すなわち竪樋２側に押圧するように形成されている。
また、嵌着突部１５が第１の嵌着溝部１０に嵌着した状態において、第１の嵌着溝部１０における突出壁部１４の両脇には、空間Ｓ，Ｓが形成されている。
【００３３】
図３に示すように、突出壁部１４の上下方向略中央部には、第１の嵌着溝部１０から固定部材８の当接面８ａに向かって貫通孔Ｐが形成されている。
この貫通孔Ｐは、図５に示すようにビス７の頭部７ａを挿通させる大径部Ｐ１と、ビス７の胴部７ｂを挿通させる小径部Ｐ２とを連通させたものであり、この貫通孔Ｐにビス７を挿入して固定部材８を外壁Ｔに固定できるようになっている。
【００３４】
上記の構成の下に、第１の嵌着溝部１０は、取付リブ４又はスペーサ９の嵌着突部１５と嵌着自在とされ、第２の嵌着溝部２０も第１の嵌着溝部１０と同形状に形成されているため、第１の嵌着溝部１０と同じ構成をもって、取付リブ４又はスペーサ９の嵌着突部１５に嵌着自在とされている。
【００３５】
上記の竪樋支持具１は、例えば、ＡＥＳ、ＡＢＳ、ポリカーボネート、ポリ塩化ビニルなどの樹脂を用いて射出成形で形成されている。
【００３６】
次に、竪樋支持具１を用いて竪樋２を外壁Ｔに着脱する方法について説明する。
【００３７】
まず、竪樋２を竪樋支持具１によって外壁Ｔに取り付ける場合には、図３に示すように、固定部材８をその第１の嵌合溝部１０の延在方向が鉛直方向を向くようにして保持し、この固定部材８の当接面８ａを壁面Ｔ１に当接させ、貫通孔Ｐにビス７を挿通させて外壁Ｔに該ビス７を螺入する。
このようにしてビス７により固定部材８を外壁Ｔに取り付けた後、図５に示すスペーサ９の嵌着突部１５の係止部先端面６ｃをその両端部が挟持壁部１１，１１の先端に架かるように当接させ、該姿勢のまま図５に示すように第１の嵌着溝部１０内に押し込む。
【００３８】
この際、嵌着突部１５の係止部６の先端角部６ｋ，６ｋは、滑らな湾曲面とされており、該角部６ｋが爪部１２の湾曲面とされた角部１２ｋに当接するため、嵌着突部１５が第１の嵌合溝部１０内に向かって円滑に案内され、嵌着突部１５が爪部１２間内に進入するに従って挟持壁部１１が弾性変形して拡開する。
【００３９】
このとき、挟持壁部１１，１１が拡開して応力が掛かる基端部は、先端に向かって幅狭、すなわち、当接面８ａに向かって漸次幅広に形成されるとともに、突出壁部４の両脇に空間Ｓが形成されているため、挟持壁部１１，１１が弾性変形、弾性復帰しやすく、該基端部において挟持壁部１１，１１の破損が防止される。
【００４０】
そして、嵌着突部１５の係止部６が爪部１２，１２間を通過した時に、挟持壁部１１，１１が弾性復帰して嵌着突部１５の両側面を把持するとともに、爪部１２，１２の突出端１２ａ，１２ａが係止部６の係止部基端面６ａ，６ａに食い付く。この際、該係止部６の係止部先端面６ｃが突出壁部１４の突出頂面１４ａに当接してスペーサ９の固定部材８への連結が完了する。
ここで、突出壁部１４は、係止部６の係止部先端面６ｃに当接し、一対の爪部１２ａ，１２ａ間において係止部６を押圧するので爪部１２，１２は、係止部基端面６ａ、６ａに強く食い付く。
したがって、固定部材８及びスペーサ９との連結は、第１の嵌着凹部１０と嵌着突部１５とが密に係合することによって強固になされることになる。
【００４１】
固定部材８に連結された図４に示すスペーサ９の第２の嵌着溝部２０は、固定部材８の第１の嵌着溝部１０と同形状に形成され、第１の嵌着溝部１０と同様に、溝部の延在方向が上下方向を向いているので、このスペーサ９に上記と同じ要領で他のスペーサ９を更に連結させる。
【００４２】
上記のように、固定部材８を外壁Ｔに固定して２つのスペーサ９，９を連結させたものを鉛直方向に所定の間隔をおいて外壁Ｔに設けたら、竪樋２の取付リブ４を第２の嵌着溝部２０に嵌着させて取り付け、図６に示すように、竪樋２の建物の外壁Ｔへの固定が完了する。
【００４３】
竪樋２から竪樋支持具１を取り外す場合には、取付リブ４の軸部５とスペーサ９の爪部１２との間に治具を嵌入して挟持壁部１１，１１を拡開させ、取付リブ４からスペーサ９を順次離脱させる。
又は、スペーサ９を上下方向に移動させて一のスペーサ９の嵌着突部１５と第１又は第２の嵌着溝部１０，２０との嵌合を解きスペーサ９，９同士又は、スペーサ９と固定部材８との連結を解除した上で、上記と同様にして取付リブ４からスペーサ９を取り外すことによって竪樋２から竪樋支持具１を取り外すことができる。
【００４４】
本実施形態の竪樋支持具１によれば、固定部材８のみを一定の長さのビス７で外壁Ｔに固定し、該固定部材８に、竪樋２の外壁Ｔからの出寸法に応じて決定された数量のスペーサ９を連結すればよいので、ビス７の長さを選定する作業を省くことができるとともに、短尺のビス７を外壁Ｔに螺入すればよく、また、スペーサ９は固定部材８または他のスペーサへの嵌着により連結されるので、固定作業が簡便となるという効果が得られる。
【００４５】
また、固定部材８は、短尺のビス７で固定されるので、竪樋２の揺動等によってもビス７が緩み難く固定状態が堅固であるという効果が得られる。
【００４６】
また、本発明においては、竪樋２を固定した状態において、挟持壁部１１，１１が嵌着突部１５をその側面から堅固に挟持するとともに、爪部１２が取付リブ４又は嵌着突部１５に食い付いて係合し、また突出壁部１４が取付リブ４又は嵌着突部１５を押圧した状態で竪樋２とスペーサ９又は固定部材８との連結がなされるので、堅固な固定が実現できるという効果が得られる。
【００４７】
また更に、第１及び第２の嵌着溝部１０，２０に突出壁部１４が設けられ、取付リブ４又は嵌着突部１５が嵌着した際に係止部６との間に空間部Ｓ，Ｓが形成される構成としたため、挟持壁部１１，１１が弾性変形及び弾性復帰しやすく、これら挟持壁部１１，１１の基端部が破損し難いという効果が得られる。
【００４８】
上記の実施形態においては、竪樋支持具１は、固定部材８にスペーサ９，９を連結させた構成とされているが、図７に示すように、固定部材８、スペーサ９，９の間に跨って装着可能なカバー部材２５を備えたものであってもよい。
【００４９】
固定部材８及びスペーサ９，９に装着されるカバー部材２５としては、固定部材８及びスペーサ９，９の上面、両側面の３面を被覆する上壁部２５ａ、側壁部２５ｂ，２５ｂ、と、側壁部２５，２５ｂの端縁から折曲して固定部材８及びスペーサ９，９の下面に係止する係止壁部２５ｃ，２５ｃとを有する弾性変形可能な断面略Ｃ字状の部材とすることができる。
【００５０】
また、カバー部材２５の長手方向の寸法は、少なくとも固定部材８とスペーサ９との間、及び、スペーサ９，９の間をカバーし得るとともに、取付リブ４に連結させるスペーサ９の第２の嵌着溝部２０がカバー部材２５から突出する寸法とし、竪樋支持具１の先端に位置する第２の嵌着溝部２０を取付リブ４に嵌着できるようにすればよい。
【００５１】
上記のカバー部材２５を装着するには、前述のとおり、竪樋２を互いに連結された固定部材８及びスペーサ９，９によって支持した状態で、カバー部材２５の側壁部２５ｂ、２５ｂを拡開させて上壁部２５ａを固定部材８及びスペーサ９，９の上面に重ね、係止壁部２５ｃ、２５ｃを固定部材８及びスペーサ９，９の下面に係止させる。
【００５２】
上記の変形例において、カバー部材２５は、断面略Ｃ字状の部材としたが、固定部材８、スペーサ９，９の上下及び両側面を覆う断面視矩形の筒状の部材としてもよい。
この場合、カバー部材２５の装着においては、固定部材８にスペーサ９，９を連結させ、竪樋２を未装着の状態で、これら固定部材８及びスペーサ９，９をカバー部材２５の内方に相対的に挿入し、カバー部材２５の端部から突出させたスペーサ９の第２の嵌着溝部２０に取付リブ４を嵌着させることができる。
なお、この装着方法は、断面が略Ｃ字状のカバー部材２５の場合にも適用することができる。
【００５３】
このようなカバー部材２５を用いることにより、固定部材８及びスペーサ９，９の上下方向の嵌着のズレ及び水平方向揺動のを防止して、竪樋支持具１を堅固に固定された状態に保持することができるとともに、固定部材８及びこれに連結されたスペーサ９，９に簡便に装着、取り外しができるという効果が得られる。
【００５４】
なお、取付リブ４及び嵌着突部１５並びに第１及び第２の嵌着溝部１０，２０は、取付リブ４及び嵌着突部１５を第１又は第２の嵌着溝部１０，２０に嵌着自在に嵌合するものであれば、上記の形状に限られるものではない。
【００５５】
また、上記の実施形態及びこの変形例において、スペーサ９の数量は２つとしたが、竪樋２の建物の外壁Ｔからの出寸法に応じて適宜変更して用いることができる。
【符号の説明】
【００５６】
１      竪樋支持具
２      竪樋
３      筒状体
３ａ    外周面
４      取付リブ
７      ビス
８      固定部材
８ａ    当接面
８ｂ    他端側の壁部
９      スペーサ
１０    第１の嵌着溝部
１１    挟持壁部
１２    爪部
１４    突出壁部
１５    嵌着突部
２０    第２の嵌着溝部
２５    カバー部材
Ｐ      貫通孔
Ｔ      外壁
【図１】
0005616776.tif 000002
【図２】
0005616776.tif 000003
【図３】
0005616776.tif 000004
【図４】
0005616776.tif 000005
【図５】
0005616776.tif 000006
【図６】
0005616776.tif 000007
【図７】
0005616776.tif 000008